(57)【特許請求の範囲】
【請求項１】
乾燥した種籾または食用などの消費用籾を粒状選別する籾選別装置であって、
規定網目の選別網面を有する機体に固定された固定筒体と、該固定筒体に内蔵されると共に被選別籾を上記固定筒体の内面に摺接させる掻き上げ回転体とを備えた選別部を有し、前記固定筒体に内蔵された掻き上げ回転体は、固定筒体の内面に接して回転する可撓性板を備えてなり、前記固定筒体の終端側は選別された健全種籾の送り出し桶部を設けた端部によって終端されていることを特徴とする乾燥した種籾または食用などの消費用籾を粒状選別する籾選別装置。
【請求項２】
固定筒体は、その軸周方向の略上半部が規定網目の選別網面をなし、かつ略下半部が網面の無い滑らかな弧状面である無孔滑面をなしていることを特徴とする請求項１記載の籾選別装置。
【発明の詳細な説明】
【技術分野】
【０００１】
本発明は、種籾として収穫乾燥した種籾から不完全籾粒を排除して健全種籾を得る種籾の粒状選別または食用などの消費用籾の粒状選別のための籾選別装置に関するものである。
【背景技術】
【０００２】
種籾として収穫乾燥した種籾には、健全種籾とともに不完全籾粒がかなりの比率で混ざっているので、良質の種籾を得るには不完全籾粒を選別して除去する必要がある。
【０００３】
従来、最も信頼性の高い種籾の選別手段として、一定濃度（比重：約１．１３）の塩水に種籾を浸して掻き混ぜ、浮き上がった籾粒を除去する塩水選が普及している（特開平８−１８７４６４号公報、特開平８−１８７４６５号公報または特開平８−１９２１０９号公報のいずれも段落「０００２」参照）。
【０００４】
種籾の塩水選は不完全籾粒を確実に排除できるところから、健全種籾を得るための選別面からみれば卓越した手段ではあるが、高濃度の塩水を用いなければならないので、近時その廃水による環境破壊が問題視されているだけでなく、塩水に浸した種籾を水洗して乾燥しなければならないなど、作業面からみても多くの問題点が指摘されていた。
【０００５】
このように、広く行われている種籾の塩水選は、選別機能面で優れているとしても反面で多くの欠点もあるところから、前掲の特開平８−１８７４６４号公報、特開平８−１８７４６５号公報または特開平８−１９２１０９号公報においては、種籾の揺動による比重選別手段をそれぞれ紹介している。
【特許文献１】特開平８−１８７４６４号公報
【特許文献２】特開平８−１８７４６５号公報
【特許文献３】特開平８−１９２１０９号公報
【発明の開示】
【発明が解決しようとする課題】
【０００６】
ところで、前掲の特開平８−１８７４６４号公報、特開平８−１８７４６５号公報または特開平８−１９２１０９号公報において紹介している種籾の揺動による比重選別手段は、揺動により比重の小さい籾粒を比重の大きい籾粒の上層に浮上させ、下層の籾粒を健全種籾として分離する選別作用によるところから、下層に沈む籾粒と上層に浮上する籾粒との分離性が不完全であって、とても塩水選に匹敵するような信頼性の高い種籾の選別は到底できないものであった。
【０００７】
そこで本発明は、果実が充実して外形状の整っている籾粒が発芽能、生育能、耐細菌性および耐黴性に特にすぐれるとの知見に基づき、種籾を規定網目の選別網面に摺接させて網目を透過する籾粒を排除し、上記選別網面の網目を透過せずに残った籾粒を健全種籾とする種籾の選別と、食用などの消費用籾を優良籾と屑籾などのように的確かつ効率的に粒状選別できる籾選別装置を提供することを目的とするものである。
【課題を解決するための手段】
【０００８】
上記目的を達成するための本発明の請求項１に係る籾選別装置は、乾燥した種籾または食用などの消費用籾を粒状選別する籾選別装置であって、規定網目の選別網面を有する機体に固定された固定筒体と、該固定筒体に内蔵されると共に被選別籾を上記固定筒体の内面に摺接させる掻き上げ回転体とを備えた選別部を有し、前記固定筒体に内蔵された掻き上げ回転体は、固定筒体の内面に接して回転する可撓性板を備えてなり、前記固定筒体の終端側は選別された健全種籾の送り出し桶部を設けた端部によって終端されていることを特徴とするものである。
【０００９】
また、本発明の請求項２に係る籾選別装置は、請求項１の構成において、固定筒体は、その軸周方向の略上半部が規定網目の選別網面をなし、かつ略下半部が網面の無い滑らかな弧状面である無孔滑面をなしていることを特徴とするものである。
【発明の効果】
【００１０】
本発明に係る籾選別装置によれば、種籾とする籾から発芽能、生育能、耐細菌性および耐黴性に特にすぐれた健全種籾を的確に選別することができ、また食用などの消費用籾を優良籾と屑籾などのように的確かつ効率的に粒状選別することができる効果が得られる。
【発明を実施するための最良の形態】
【００１１】
図１は本発明による籾選別装置の全体を示す断面図、図２は同上要部の分解斜視図、図３は選別部の分解斜視図、図４は選別部の規定網目の選別網面を有する固定筒体の斜視図、図５は他の構成を示す要部の分解斜視図である。
【００１２】
以下種籾の選別を例とし説明する。図１に示すように、本発明に係る籾選別装置１は、種籾を投入して脱芒処理を施す脱芒部２と、脱芒した種籾を規定網目の選別網面に摺接させて選別する選別部３とで構成されている。脱芒部２は筒形の固定筒体４内に撹拌回転体５を備え、選別部３は規定網目の選別網面を有する円筒形の固定筒体内６に掻き上げ回転体８を備えている。この掻き上げ回転体８は、固定筒体内６の内面に接して回転する可撓性板７を備えてなるものである。上記脱芒部２の撹拌回転体５と選別部３の掻き上げ回転体８は同一の回転軸９による一体回転構成である。
【００１３】
脱芒部２の固定筒体４と選別部３の固定筒体６は、軸方向に連なるように配置されていて、その仕切り面１０の下部は連通口１１により連通しており、連通口１１には開度および開閉が自在の手動によるシャッタ１２を備えている。脱芒部２の固定筒体４の始端上部には種籾を投入するホッパ１３が取り付けられている。このホッパ１３は着脱自在であって、梱包時や不使用時には選別部３の下部空間内に収蔵できるようになっている。１４は駆動電動機であって、脱芒部２の下部空間内に収蔵されて固定されており、電動機１４と脱芒部２の撹拌回転体５と選別部３の掻き上げ回転体８の回転軸９とは、ベルト伝動機構１５により連結されている。
【００１４】
脱芒部２の固定筒体４内の撹拌回転体５は、筒状部１６に多数の撹拌突起部１７を設けたものである。図示の固定筒体４は８角筒体であるが必ずしもそれに限らない。選別部３の固定筒体６は、その略上半部が規定網目の選別網面１８をなし、略下半部は網面の無い滑らかな弧状面である無孔滑面１９をなしている。固定筒体６はその全周面を選別網面１８としてもよい。固定筒体内６内の掻き上げ回転体８は、その内面に接して回転する可撓性板７を有していて、回転軸９に２枚の可撓性板７を取り付けたものである。可撓性板７はウレタンゴム板であるが、これはブラシ状のものであってもよい。上記のように無孔滑面１９を設けることにより籾粒に過大な摺接や衝撃を加えないですむので、いっそう良好な健全種籾を得ることができる。選別部３の固定筒体６の終端側下部には選別された健全種籾の送り出し樋２０を設けてある。
【００１５】
選別部３の固定筒体６の選別網面１８は、周方向に細長の網目をなしており、その網目の目幅は２．０〜２．５ｍｍの範囲内で選定するが、２．１または２．２が好適である。
【００１６】
脱芒部２の固定筒体４は機体に固定されており、選別部３の固定筒体６も脱芒部２と反対側から挿入して機体に固定するが、図５に示すように、仕切り面１０に回転軸９を囲むように複数の案内棒２１を取り付けておけば、固定筒体６をその案内棒２１に沿って挿入することによって的確に位置決めがなされるので、固定筒体６の装着が容易にできる。
【００１７】
本発明に係る籾選別装置１は、脱芒部２の撹拌回転体５と選別部３の掻き上げ回転体８が同一の回転軸９による一体回転構成であって、脱芒部２と選別部３が機能上一体構成であるから、脱芒と選別の機能向上と構成の簡素化による利点が大きいものである。
【００１８】
本発明に係る籾選別装置１により種籾の選別をするには、ホッパ１３に種籾を投入するが、ホッパ１３に投入された種籾は脱芒部２の撹拌回転体５による撹拌に伴う固定筒体４との間の衝撃や摩擦作用によって脱芒され、脱芒された種籾は連通口１１から選別部３の固定筒体６内に移動される。そして、選別部３の固定筒体６内に移動された種籾は、掻き上げ回転体８により固定筒体６の内面に摺接されるとともに投擲作用も加わるので、種籾に混在している不完全籾粒と塵埃は固定筒体６の選別網面１８を透過して排除され、選別網面１８を透過せずに残った籾粒が健全種籾として送り出し樋２０から取り出される。
【００１９】
このように、本発明に係る籾選別装置１によれば、選別部３の固定筒体６の選別網面１８から透過しない籾粒を健全籾とするので、選別網面１８の目幅を大きく設定するほど信頼性の高い健全種籾を選別することができるが、その反面不完全籾粒として排除される比率が高くなる。しかしながら、排除される籾粒も塩水選のように籾粒を濡らさないので、そのまま食用などの消費用として無駄なく利用することができる。そして、この場合にあっては、選別網面１８の網目の目幅は２．５ｍｍを超えてさらに大きく選定してもよい。
【図面の簡単な説明】
【００２０】
【図１】本発明による籾選別装置の全体を示す断面図である。
【図２】同上要部の分解斜視図である。
【図３】選別部の分解斜視図である。
【図４】選別部の規定網目の選別網面を有する固定筒体の斜視図である。
【図５】他の構成を示す要部の分解斜視図である。
【符号の説明】
【００２１】
１  籾選別装置
２  脱芒部
３  選別部
４  固定筒体
５  撹拌回転体
６  固定筒体
７  可撓性板
８  掻き上げ回転体
９  回転軸
１０  仕切り面
１１  連通口
１２  シャッタ
１３  ホッパ
１４  駆動電動機
１５  ベルト伝動機構
１６  筒状部
１７  撹拌突起部
１８  選別網面
１９  無孔滑面
２０  健全種籾の送り出し樋
２１  案内棒
【図１】
0004575352.tif 000002
【図２】
0004575352.tif 000003
【図３】
0004575352.tif 000004
【図４】
0004575352.tif 000005
【図５】
0004575352.tif 000006